(57)【特許請求の範囲】
【請求項１】
所定の間隔で複数の支柱を設け、前記支柱間に水平主線材を複数段に設けた衝撃吸収柵において、前記水平主線材にループ部を形成し、このループ部内に該ループ部の縮小により変形可能な金属製の中空筒体を配置すると共に、この中空筒体に複数の前記水平主線材の前記ループ部を設けたことを特徴とする衝撃吸収柵。
【請求項２】
前記支柱間を前記水平主線材に掛止した網体で遮蔽したことを特徴とする請求項１記載の衝撃吸収柵。
【請求項３】
所定の間隔で複数の支柱を設け、前記支柱間を網体で遮蔽した衝撃吸収柵において、前記網体の線材にループ部を形成し、このループ部内に該ループ部の縮小により変形可能な金属製の中空筒体を配置すると共に、この中空筒体に複数の前記線材の前記ループ部を設けたことを特徴とする衝撃吸収柵。
【請求項４】
前記中空筒体が接地脚部を有することを特徴とする請求項１〜３のいずれか１項に記載の衝撃吸収柵。
【請求項５】
前記中空筒体に長さ方向の切欠き部を形成したことを特徴とする請求項１〜４のいずれか１項に記載の衝撃吸収柵。
【請求項６】
前記中空筒体内に天然ゴムや合成ゴムからなる円柱部材を設けたことを特徴とする請求項１〜５のいずれか１項に記載の衝撃吸収柵。
【発明の詳細な説明】
【０００１】
【発明の属する技術分野】
本発明は、雪崩・落石等における衝撃吸収柵に関する。
【０００２】
【発明が解決しようとする課題】
従来、この種のものとして、特公平７−１８１３４号公報の衝撃吸収柵では、所定の間隔で支柱を設け、各支柱の間に水平ロープ材を水平方向のスライドを許容した状態で係留し、水平ロープの両端は固定し、各支柱間を水平ロープ材掛止されたワイヤ製のネットで遮蔽し、各水平ロープ材の途上に水平ロープ材を重合させて形成した余長部と、余長部を一定の力で挟持する挟持具とにより、水平ロープ材に所定張力以上の張力が作用したとき、水平ロープ材が一定の摩擦力を保持したまま余長部が伸長して張力を吸収する緩衝部を設け（公報特許請求の範囲）ており、衝撃吸収柵の網面に作用する衝撃力が緩衝部の設定摩擦抵抗を越えると、水平ロープ材の途上に形成した緩衝部が耐えられず、ロープ材と挟持具との摺動の間で摺動を開始し、大きな衝撃力を受けてもループの縮径により効果的にエネルギーを吸収することができる。
【０００３】
また、特公平７−１８１３４号公報には、雪崩・落石防止体と地山とを連結する支持用線材をループ状にして複数の線材が重なり合う重複部を形成し、その重複部を複数間隔をおいて設けられた締付部材により緊結し、前記支持用線材に加わる引張力によって前記ループ状部分の両側端が前記締付部材に係止しかつ締付部材が移動する（公報特許請求の範囲）ものがある。
【０００４】
また、特許第２５０３９２９号公報の衝撃吸収柵では、ガイドロープの他端部相互を重ね合わせて重複部を形成し、この重複部を複数間隔を置いて設けられた締付部材により緊結すると共に、前記締付部材に係止可能な端末突部を前記ガードロープの他端部の端部に設け、前記ガードロープに加わる引張力によって前記重複部の他端部相互が摩擦摺動するように構成（公報特許請求の範囲）している。
【０００５】
さらに、特開平１０−８８５２７号公報には、支柱間に張り渡された保持ロープの中途に、同保持ロープに及んでくる衝撃エネルギーを吸収するためのブレーキ装置が設けてあり、このブレーキ装置が、重ね合わされた両端部を緊締部材によって固定したループ管を有しており、当該保持ロープがこのループ管内を通り、他方端部の管口からでて延びて（公報特許請求の範囲中請求項５）おり、緊締部でのループ管重畳部の摩擦及びループ管と緊締部材との間の摩擦によりエネルギー吸収が行われる。
【０００６】
このように上記４者の衝撃吸収柵等では、いずれも衝撃吸収力を摩擦力により吸収するようにしている。
【０００７】
一方、上記特開平１０−８８５２７号公報では、網状体が多数のリング部材を、それぞれ隣り合うリング部材の内周側が接触するように相互に連結することによって構成されて（公報特許請求の範囲中請求項１）おり、落石による衝撃を受けると、各リング部材が他のリング部材との係合箇所で外方に引張られ、例えば係合箇所が周全体で４箇所であれば、リング部材は矩形に変形し、このようにリング部材を変形させる力が衝撃エネルギーとなり、リング部材の材質、構成線材の太さ、リング部材の直径を適宜選択することにより、吸収すべきエネルギーの大きさに簡単に対応させることができる（公報第０００７段）。
【０００８】
そして、上記摩擦力により衝撃力を吸収する構造、及び上記リング部材の変形より衝撃エネルギーを吸収するものでも、いずれも衝撃吸収能力には限界がある。
【０００９】
このような従来技術の問題を解消し、衝撃吸収能力の向上を可能にしたものとして、特開平１２−４５２３２号公報には、所定の間隔で複数の支柱を設け、前記支柱間に水平主線材を設け、前記支柱間を前記水平主線材に掛止した網体で遮蔽した衝撃吸収柵において、前記水平主線材にループ部を形成し、このループ部内に弾性を有する緩衝材を配置した衝撃吸収柵があり、この衝撃吸収柵に落石等の衝撃力が加わると、水平主線材に引張力が働き、この引張力によりループ部が縮小され、ループ部内の緩衝材が弾性変形と塑性変形とを起こし、エネルギーを吸収することができる。
【００１０】
ところで、上記衝撃吸収柵では、複数段の水平主線材にそれぞれループ部により緩衝材を設けるから、必要とするループ部の数だけ緩衝材を用意し、個々に緩衝材を取付ける必要がある。このように緩衝材の部品数が多くなると、現場での部品管理と取付け作業が煩雑になることが予想される。
【００１１】
そこで、本発明は、大きな衝撃力を効果的に吸収することができ、組立て作業性に優れた衝撃吸収柵を提供することを目的とする。
【００１２】
【課題を解決するための手段】
請求項１の発明は、所定の間隔で複数の支柱を設け、前記支柱間に水平主線材を複数段に設けた衝撃吸収柵において、前記水平主線材にループ部を形成し、このループ部内に該ループ部の縮小により変形可能な金属製の中空筒体を配置すると共に、この中空筒体に複数の前記水平主線材の前記ループ部を設けたものである。
【００１３】
この請求項１の構成によれば、落石等の衝撃力が加わると、水平主線材に引張力が働き、この引張力によりループ部が縮小され、ループ部内の金属製の中空筒体が絞られて潰れるように変形することにより、エネルギーが吸収される。そして、共通する中空筒体に複数の水平主線材のループ部を形成するから、使用する中空筒体等の部品点数を削減できると共に、組立て作業性に優れたものとなる。
【００１４】
請求項２の発明は、前記支柱間を前記水平主線材に掛止した網体で遮蔽したものである。
【００１５】
この請求項２の構成によれば、網体が落石等を受けると、その衝撃力により水平主線材に引張力が加わる。
【００１６】
請求項３の発明は、所定の間隔で複数の支柱を設け、前記支柱間を網体で遮蔽した衝撃吸収柵において、前記網体の線材にループ部を形成し、このループ部内に該ループ部の縮小により変形可能な金属製の中空筒体を配置すると共に、この中空筒体に複数の前記線材の前記ループ部を設けたものである。
【００１７】
この請求項３の構成によれば、落石等の衝撃力が加わると、線材に引張力が働き、この引張力によりループ部が縮小され、ループ部内の金属製の中空筒体が絞られて潰れるように変形することにより、エネルギーが吸収される。そして、共通する中空筒体に複数の水平主線材のループ部を形成するから、使用する中空筒体等の部品点数を削減できると共に、組立て作業性に優れたものとなる。
【００１８】
また、請求項４の発明は、前記中空筒体が接地脚部を有するものである。
【００１９】
この請求項４の構成によれば、接地脚部が接地することにより、線材に金属製の中空筒体の自重による荷重が加わることがない。
【００２０】
また、請求項５の発明は、前記中空筒体に長さ方向の切欠き部を形成したものである。
【００２１】
この請求項５の構成によれば、落石等の衝撃力が加わると、水平主線材に引張力が働き、この引張力によりループ部が縮小され、ループ部内の金属製の中空筒体が絞られて潰れるように変形することにより、エネルギーが吸収される。この場合、切欠き部を設けることにより初め中空筒体の直径が縮小するように変形し、さらに、引張力が加わると、中空筒体が潰れるように変形することにより、エネルギーを吸収することができる。
【００２２】
また、請求項６の発明は、前記中空筒体内に天然ゴムや合成ゴムからなる円柱部材を設けたものである。
【００２３】
この請求項６の構成によれば、落石等の衝撃力が加わると、水平主線材に引張力が働き、この引張力によりループ部が縮小され、ループ部内の金属製の中空筒体と天然ゴムや合成ゴムからなる円柱部材が絞られて潰れるように変形することにより、エネルギーが吸収される。この場合、中空筒体と円柱部材とを組み合わせることにより、大きな衝撃を吸収することができる。
【００２４】
【発明の実施形態】
以下、本発明の実施例を添付図面を参照して説明する。図１〜図３は本発明の第１参考例を示し、同図に示すように、衝撃吸収柵である落石防護柵は、斜面あるいは斜面に並んでコンクリート基礎１を設け、このコンクリート基礎１に複数の支柱２…を立設する。前記支柱２は、Ｈ型鋼，コンクリート柱，鋼管あるいはコンクリート充填鋼管などからなり、この例では鋼管を用い、その下端を前記コンクリート基礎１に固着している。前記支柱２間には水平主線材たる水平ロープ材３，３が上下段に設けられ、この水平ロープ材３を係止する係止部４が前記支柱２の前面に設けられ、この係止部４は、水平ロープ材３を係止する係止用フックなどにより構成される。また、前記水平ロープ材３の両端は、それぞれ前記支柱２や他の部材に固定されている。
【００２５】
図１〜図３に示すように、前記水平ロープ材３には、輪状をなすループ部５を形成して部分的に重なる重合部６を形成し、この重合部６を案内部材たる結束具７により束ね、この結束具７は輪状をなし、内部において重合部６のスライドを許容するものである。そして、複数段の水平ロープ材３には、支柱２，２間の同一位置に前記ループ部５が形成され、それら複数段のループ部５内に緩衝材８を配置し、このループ部５及び緩衝材８は、支柱２と同様に水平ロープ材３の後方に設けられる。また、この例の緩衝材８は基礎１上の高さが支柱２とほぼ等しく、その緩衝材８の下端は、前記基礎１の上に載置する接地脚部９になっており、この接地脚部９は基礎１に固定されない。
【００２６】
前記緩衝材８は、前記ループ部５の内形状に対応して略円柱形状を成している。この例の緩衝材８は、天然ゴムやシリコーンゴム等の合成ゴムなどからなる円柱部材21からなる。
【００２７】
また、図１及び図２に示すように、前記支柱２間には、該支柱２間を遮蔽する防護面たる網体11が設けられており、この網体11は前記水平ロープ材３に掛止され、前記網体11と前記支柱２により防護体12を構成している。
【００２８】
このように支柱２，２に柱状の緩衝材８を配置し、１つの緩衝材８に複数段の水平ロープ材３を巻き付けてループ部５を形成するから、現場で管理する部品点数が少なく済み、組立て作業も容易となる。また、現場搬入前に、予め複数段の水平ロープ材３と緩衝材８とを組立ててユニット化した場合でも、現場での扱いが容易で組立て作業性に優れたものとなる。
【００２９】
そして、図２（Ａ）に示すように、網体11に落石等により衝撃力が加わると、水平ロープ材３に引張力が発生し、ループ部５が縮小し、ループ部５内の弾性を有する緩衝材８が、ループ部５に締付けられて弾性変形し、この弾性変形により衝撃力のエネルギーを吸収し、さらに締付けられると塑性変形し、この塑性変形により衝撃力のエネルギーを吸収し、最後に緩衝材８が破断し、この破断により衝撃力のエネルギーを吸収する。尚、ループ部５が縮小しても、その内部には弾性体等からなる緩衝材８が配置されているから、ループ部５を構成する水平ロープ材３が損傷することがない。
【００３０】
このように本参考例では、所定の間隔で複数の支柱２，２を設け、支柱２，２間に水平主線材たる水平ロープ材３を複数段に設けた衝撃吸収柵において、水平ロープ材３にループ部５を形成し、このループ部５内に該ループ部５の縮小により変形可能な緩衝材８を配置すると共に、この緩衝材８に複数の水平ロープ材３のループ部５を設けたから、落石等の衝撃力が加わると、水平ロープ材３に引張力が働き、この引張力によりループ部５が縮小され、ループ部５内の緩衝材８が変形することにより、エネルギーが吸収される。そして、共通する緩衝材８に複数の水平ロープ材３のループ部５を形成するから、使用する緩衝材８等の部品点数を削減できると共に、組立て作業性に優れたものとなる。
【００３１】
また、このように本参考例では、支柱２，２間を水平主線材たる水平ロープ材３に掛止した網体11で遮蔽したから、網体11が落石等を受けると、その衝撃力により水平ロープ材３に引張力が加わり、ループ部５内の緩衝材８が変形することにより、エネルギーを吸収することができる。
【００３２】
さらに、このように本参考例では、緩衝材８が接地脚部９を有するから、接地脚部９が接地することにより、水平ロープ材３に緩衝材８の自重による荷重が加わることがない。したがって、緩衝材８を取り付けることにより、通常時、水平ロープ材３に負荷が加わることがなく、長期に渡って水平ロープ材３の引張強さなどの性能を保持することができる。
【００３３】
また、参考例上の効果として、緩衝材８は、ループ部５の縮小により破断するから、ループ部５内の緩衝材８が変形した後、破断することにより、衝撃エネルギーの吸収効果が高まる。さらに、複数段の水平ロープ材３にループ部５を形成し、これらループ部５内に緩衝材８を配置し、ループ部５により緩衝材８が長さ方向（上下方向）に移動しないように該緩衝材８を締め付けたから、緩衝材８が複数段の水平ロープ材３の間隔保持材となる。
【００３４】
図４は本発明の第２参考例を示し、上記第１参考例と同一部分に同一符号を付し、その詳細な説明を省略して詳述すると、この例では、前記結束具の変形例を示し、この例の結束具７Ａは、図４に示すように、Ｕボルト111の端部を止め板112に挿通し、該端部にナット113を螺合するものであり、ナット113の螺合程度を調整して重合部６を締付ける。尚、落石等の衝撃力により水平ロープ材３に張力が加わった場合に、前記重合部６のスライドを許容する程度に前記ナット113を締付ける。
【００３５】
したがって、ループ部５が縮小する際に、重合部６の水平ロープ材３同士及び重合部６と結束具７Ａとの間で摩擦が生じ、この摩擦により衝撃力のエネルギーの一部を吸収することもできる。
【００３６】
図５は本発明の第１実施例を示し、上記各参考例と同一部分に同一符号を付し、その詳細な説明を省略して詳述すると、この例の緩衝材８Ａは、鉄やアルミニウムなどの金属製からなる中空筒体22からなる。
【００３７】
したがって、落石等の衝撃力が加わると、水平ロープ材３に引張力が働き、この引張力によりループ部５が縮小され、ループ部５内の緩衝材８Ａを構成する中空筒体22が絞られて潰れるように変形することにより、エネルギーが吸収される。
【００３８】
図６は本発明の第２実施例を示し、上記各参考例及び第１実施例と同一部分に同一符号を付し、その詳細な説明を省略して詳述すると、この例の緩衝材８Ｂは、鉄やアルミニウムなどの金属製からなる中空筒体22であって、該中空筒体22に長さ方向の切欠き部23を形成してなり、この切欠き部23により前記中空筒体22が周方向に縮小するように弾性変形可能となる。
【００３９】
したがって、落石等の衝撃力が加わると、水平ロープ材３に引張力が働き、この引張力によりループ部５が縮小され、ループ部５内の緩衝材８Ｂを構成する中空筒体22が絞られて潰れるように変形することにより、エネルギーが吸収される。この場合、切欠き部23を設けることにより初め中空筒体22の直径が縮小するように変形し、さらに、引張力が加わると、中空筒体22が潰れるように変形することにより、エネルギーを吸収することができる。
【００４０】
図７は本発明の第３実施例を示し、上記各参考例及び各実施例と同一部分に同一符号を付し、その詳細な説明を省略して詳述すると、この例の緩衝材８Ｃは、前記中空筒体22内に前記円柱部材21を設けてなる。
【００４１】
したがって、落石等の衝撃力が加わると、水平ロープ材３に引張力が働き、この引張力によりループ部５が縮小され、ループ部５内の緩衝材８Ｃを構成する中空筒体22と円柱部材21が絞られて潰れるように変形することにより、エネルギーが吸収される。この場合、中空筒体22と円柱部材21とを組み合わせることにより、大きな衝撃を吸収することができる。
【００４２】
図８は本発明の第４実施例を示し、上記各参考例及び各実施例と同一部分に同一符号を付し、その詳細な説明を省略して詳述すると、この例の緩衝材８Ｄは、切欠き部前記中空筒体22内に前記円柱部材21を設けてなる。
【００４３】
したがって、落石等の衝撃力が加わると、水平ロープ材３に引張力が働き、この引張力によりループ部５が縮小され、ループ部５内の緩衝材８Ｄを構成する中空筒体22と円柱部材21が絞られて潰れるように変形することにより、エネルギーが吸収される。この場合、中空筒体22と円柱部材21とを組み合わせることにより、大きな衝撃を吸収することができる。
【００４４】
図９及び図１０は本発明の第５実施例を示し、上記各参考例及び各実施例と同一部分に同一符号を付し、その詳細な説明を省略して詳述すると、この例では、防護面たる網体31は、一側方向たる横方向の線材32と、この線材32と交差する他側方向たる縦方向の線材33とを組み合わせて複数の網目34を有し、横方向の前記線材32には、輪状をなすループ部35を形成して部分的に重なる重合部36を形成し、この重合部36を案内部材たる前記結束具７，７により束ね、この結束具７は輪状をなし、内部において重合部36のスライドを許容するものである。尚、隣合う支柱２，２間において、横方向の線材32の３箇所にループ部35を形成し、複数段の線材32，32…にループ部35，35…を形成すると共に、それらループ部35，35…内に前記緩衝材８，８Ａ，８Ｂ，８Ｃ，８Ｄのいずれかを配置している。また、前記ループ部35及び緩衝材８，８Ａ，８Ｂ，８Ｃ，８Ｄは、網体31の前面に設けられる。尚、結束具として、第２参考例で示した結束具７Ａを用いることもできる。
【００４５】
そして、網体31に落石等により衝撃力が加わり、線材32に引張力が加わると、ループ部35が縮小し、ループ部35内の緩衝材８，８Ａ，８Ｂ，８Ｃ，８Ｄが、ループ部35に締付けられて変形し、この変形により衝撃力のエネルギーを吸収することができる。
【００４６】
このように本実施例では、所定の間隔で複数の支柱２，２を設け、支柱２，２間を網体31で遮蔽した衝撃吸収柵において、網体31の線材32にループ部35を形成し、このループ部35内に弾性を有する緩衝材８，８Ａ，８Ｂ，８Ｃ，８Ｄを配置すると共に、緩衝材８，８Ａ，８Ｂ，８Ｃ，８Ｄに複数の線材32のループ部35を設けたから、落石等の衝撃力が加わると、線材32に引張力が働き、この引張力によりループ部35が縮小され、ループ部35内の緩衝材８，８Ａ，８Ｂ，８Ｃ，８Ｄが変形することにより、エネルギーが吸収される。そして、共通する緩衝材８，８Ａ，８Ｂ，８Ｃ，８Ｄに複数の線材32のループ部35を形成するから、使用する緩衝材８等の部品点数を削減できると共に、組立て作業性に優れたものとなる。
【００４７】
尚、本発明は上記各実施例に限定されるものではなく、本発明の容易の範囲内において、種々の変形実施が可能である。例えば、実施例では、輪が１つの一重のループ部を示したが、ループ部は輪が２つ以上でもよい。さらに、実施例においては、支柱の間に設ける水平ロープ材が５段の例を示したが、その段数は適宜選定可能であり、例えば上下２段でもよい。
【００４８】
【発明の効果】
請求項１の発明は、所定の間隔で複数の支柱を設け、前記支柱間に水平主線材を複数段に設けた衝撃吸収柵において、前記水平主線材にループ部を形成し、このループ部内に該ループ部の縮小により変形可能な金属製の中空筒体を配置すると共に、この中空筒体に複数の前記水平主線材の前記ループ部を設けたものであり、大きな衝撃力を効果的に吸収することができ、組立て作業性に優れた衝撃吸収柵を提供することができる。
【００４９】
請求項２の発明は、前記支柱間を前記水平主線材に掛止した網体で遮蔽したものであり、大きな衝撃力を効果的に吸収することができ、組立て作業性に優れた衝撃吸収柵を提供することができる。
【００５０】
請求項３の発明は、所定の間隔で複数の支柱を設け、前記支柱間を網体で遮蔽した衝撃吸収柵において、前記網体の線材にループ部を形成し、このループ部内に該ループ部の縮小により変形可能な金属製の中空筒体を配置すると共に、この中空筒体に複数の前記線材の前記ループ部を設けたものであり、大きな衝撃力を効果的に吸収することができ、組立て作業性に優れた衝撃吸収柵を提供することができる。
【００５１】
また、請求項４の発明は、前記中空筒体が接地脚部を有するものであり、大きな衝撃力を効果的に吸収することができ、組立て作業性に優れた衝撃吸収柵を提供することができる。
【００５２】
また、請求項５の発明は、前記中空筒体に長さ方向の切欠き部を形成したものであり、大きな衝撃力を効果的に吸収することができ、組立て作業性に優れた衝撃吸収柵を提供することができる。
【００５３】
また、請求項６の発明は、前記中空筒体内に天然ゴムや合成ゴムからなる円柱部材を設けたものであり、大きな衝撃力を効果的に吸収することができ、組立て作業性に優れた衝撃吸収柵を提供することができる。
【図面の簡単な説明】
【図１】本発明の第１参考例を示す衝撃吸収柵の正面図である。
【図２】本発明の第１参考例を示す衝撃吸収柵の平断面図であり、図２（Ａ）は設置状態を示し、図２（Ｂ）は落石を受けて緩衝材が変形した状態を示す。
【図３】本発明の第１参考例を示すループ部と緩衝材の斜視図である。
【図４】本発明の第２参考例を示す結束具の一部切欠き側面図である。
【図５】本発明の第１実施例を示すループ部と緩衝材の斜視図である。
【図６】本発明の第２実施例を示すループ部と緩衝材の斜視図である。
【図７】本発明の第３実施例を示すループ部と緩衝材の斜視図である。
【図８】本発明の第４実施例を示すループ部と緩衝材の斜視図である。
【図９】本発明の第５実施例を示す衝撃吸収柵の正面図である。
【図１０】本発明の第５実施例を示す衝撃吸収柵の平断面図である。
【符号の説明】
２  支柱
３  水平ロープ材（水平主線材）
５  ループ部
８  緩衝材
８Ａ  緩衝材
８Ｂ  緩衝材
８Ｃ  緩衝材
８Ｄ  緩衝材
11  網体
12  防護体
31  網体（防護面）
32  線材
35  ループ部
【図１】
0003555139.tif 000002
【図２】
0003555139.tif 000003
【図３】
0003555139.tif 000004
【図４】
0003555139.tif 000005
【図５】
0003555139.tif 000006
【図６】
0003555139.tif 000007
【図７】
0003555139.tif 000008
【図８】
0003555139.tif 000009
【図９】
0003555139.tif 000010
【図１０】
0003555139.tif 000011